(57)【要約】【課題】  本考案は、カメラ付き携帯電話などの携帯式撮影装置を所持する訪問者から該装置を預かることなく、施設の秘密事項等の撮影を防止できる携帯式撮影装置用のレンズカバーを提供することを課題とする。【解決手段】  カメラ付き携帯電話等の携帯式撮影装置のレンズ部を少なくとも覆うことができるレンズカバーであって、レンズ遮蔽領域２１が不透明なカバー基材２を備え、前記カバー基材２の裏面には、前記携帯式撮影装置に貼付でき且つ貼付後剥離することができる接着部５が設けられている携帯式撮影装置用のレンズカバーを提供する。このカバー基材２は引裂可能なシート材からなり、カバー基材２の周縁に複数の切欠部６が形成されている。【選択図】      図１
0003104796.tif 000002
【実用新案登録請求の範囲】
【請求項１】
カメラ付き携帯電話等の携帯式撮影装置のレンズ部を少なくとも覆うことができるレンズカバーであって、
レンズ遮蔽領域が不透明なカバー基材を備え、前記カバー基材の裏面には、前記携帯式撮影装置に貼付でき且つ貼付後に前記装置から剥離することができる接着部が設けられていることを特徴とする携帯式撮影装置用のレンズカバー。
【請求項２】
前記カバー基材が、レンズ遮蔽領域と前記レンズ遮蔽領域から延出した貼付領域とを備え、前記貼付領域の裏面にのみ前記接着部が設けられている請求項１記載のレンズカバー。
【請求項３】
前記カバー基材が引裂可能なシート材からなり、前記カバー基材の周縁に複数の切欠部が形成されている請求項１又は２記載のレンズカバー。
【請求項４】
前記カバー基材が、紙、合成樹脂フィルム、金属蒸着フィルム又はこれらの積層体である請求項３記載のレンズカバー。
【請求項５】
カメラ付き携帯電話等の携帯式撮影装置のレンズ部を少なくとも覆うことができるレンズカバーであって、
レンズ遮蔽領域が不透明なカバー基材を備え、前記カバー基材は２層以上のシートが積層された積層体からなり、前記積層体の最下層のシートの裏面には、携帯式撮影装置に貼付でき且つ貼付後に前記装置から剥離することができる接着部が設けられており、前記最下層のシートには、このシートの内側部分を所定形状に分断する切込線が形成されていると共に、前記最下層のシートのうち、切込線の外側が上層のシートに一体的に積層接着され且つ切込線の内側が上層のシートに非接着とされていることを特徴とする携帯式撮影装置用のレンズカバー。
【請求項６】
前記切込線の内側の領域が、前記レンズ遮蔽領域を含んでいる請求項５記載のレンズカバー。
【請求項７】
前記カバー基材が引裂可能であり、前記カバー基材の周縁に複数の切欠部が形成されている請求項５又は６記載のレンズカバー。
【請求項８】
前記接着部が、感圧型粘着剤からなる請求項１〜７の何れかに記載のレンズカバー。
【請求項９】
前記接着部が、剥離後再貼付不能な接着剤からなる請求項１〜７の何れかに記載のレンズカバー。
【請求項１０】
前記カバー基材の縁部には摘み片が延設されており、前記摘み片の裏面が携帯式撮影装置に対して非接着とされている請求項１〜９の何れかに記載のレンズカバー。
【請求項１１】
表面にバーコードなどの機械的読取記号が表されている請求項１〜１０の何れかに記載のレンズカバー。
【考案の詳細な説明】
【技術分野】
【０００１】
本考案は、カメラ付き携帯電話などの携帯式撮影装置のレンズ部を覆うレンズカバーに関する。
【背景技術】
【０００２】
近年、携帯電話に撮影機能が搭載されたいわゆるカメラ付き携帯電話が広く普及している。かかるカメラ付き携帯電話は、手軽に被写体を撮影でき、更に、解像度向上などの技術向上が進んだ結果、従前のフィルム（銀塩）カメラと遜色のない綺麗な写真が得られるようになってきている。
ところが、手軽に綺麗な映像を得られることが却って問題となる場合がある。例えば、ある企業に訪問した者が、自身所持しているカメラ付き携帯電話を用い、当該企業側の許可なくその施設や社内情報などを撮影したり、或いは、商品発表会などで写真撮影が禁止されているにも拘わらず写真を撮ったりするなどの悪意を以てカメラ付き携帯電話を使用する行為が懸念されている。
【０００３】
かかる問題への対応策として、企業や展示会開催者などの被訪問者が、カメラ付き携帯電話を持っている訪問者からこれを一時的に預かることを条件として施設への入場を許可するということが一部で行われている。
しかしながら、今や携帯電話はビジネスの一手段と化しており、他方、許可なく秘密事項等を撮影する悪意者はほんの一部であるから、訪問者全員から携帯電話を取り上げると、大多数の者のビジネスチャンスを剥奪することにもなりかねない。また、高度情報端末と化した携帯電話には各種の情報が記録されているので、寄託者たる訪問者は、自身のデータ漏洩の虞があり、他方、受託者たる被訪問者にとっても、預かった携帯電話の事務管理が面倒である。特に、商品発表会などのように多数人が入場する施設では、事務管理が非常に煩雑となり、携帯電話の寄託に関するトラブルの原因になりかねない。かかる問題は、カメラ付き携帯電話に限られず、カメラ付きノートパソコンやＰＤＡなどのその他の携帯式撮影装置を有する機器類についても同様である。
【考案の開示】
【考案が解決しようとする課題】
【０００４】
そこで、本考案は、カメラ付き携帯電話などの携帯式撮影装置を所持する訪問者から該装置を預かることなく、施設の秘密事項等の撮影を防止できる携帯式撮影装置用のレンズカバーを提供することを課題とする。
【課題を解決するための手段】
【０００５】
上記課題を解決するため、請求項１記載の手段は、カメラ付き携帯電話等の携帯式撮影装置のレンズ部を少なくとも覆うことができるレンズカバーであって、レンズ遮蔽領域が不透明なカバー基材を備え、前記カバー基材の裏面には、前記携帯式撮影装置に貼付でき且つ貼付後剥離することができる接着部が設けられている携帯式撮影装置用のレンズカバーを提供する。
【０００６】
かかるレンズカバーは、訪問者が被訪問者の施設などに入る前に、訪問者の所持するカメラ付き携帯電話等のレンズ部を覆うように貼付して使用される。かかるカメラ付き携帯電話等を所持したままで訪問者が施設などに入っても、訪問者はカメラ撮影できず、従って、被訪問者の施設や秘密事項等が撮影されることを防止できる。他方、訪問者は、（撮影機能を除き）電話機能や各種保存データの読み出しなど各種機能を支障なく使用でき、ビジネスチャンスを逸する虞がない。尚、接着部は、貼付後に剥離可能なので、使用後は、レンズカバーを剥ぎ取って除去することができる。
【０００７】
さらに、請求項２記載の手段は、上記カバー基材が、レンズ遮蔽領域とレンズ遮蔽領域から延出した貼付領域とを備えており、貼付領域の裏面にのみ接着部が設けられている上記レンズカバーであり、かかるレンズカバーは、レンズ遮蔽領域に接着部が設けられていないので、レンズ部を汚したり傷つけたりする虞がないので好ましい。
【０００８】
また、請求項３記載の手段は、上記カバー基材が引裂可能なシート材からなり、カバー基材の周縁に複数の切欠部が形成されている上記レンズカバーでり、かかるレンズカバーは、訪問者がレンズカバーを剥ぎ取って写真撮影しようと試みると、切欠部を起点としてカバー基材が破断する。従って、訪問者が不正な剥離行為を行うと、もはや原状に戻すことができず、被訪問者は、不正行為の有無を簡単に判別することができるので好ましい。尚、カバー基材としては、比較的引裂かれ易く且つ比較的安価に入手することができることから、紙、合成樹脂フィルム、金属蒸着フィルム又はこれらの積層体を用いることが好ましい。
【０００９】
さらに、請求項５記載の手段は、カメラ付き携帯電話等の携帯式撮影装置のレンズ部を少なくとも覆うレンズカバーであって、レンズ遮蔽領域が不透明なカバー基材を備え、カバー基材は２層以上のシートが積層された積層体からなり、この積層体の最下層のシートの裏面には、携帯式撮影装置に貼付でき且つ貼付後剥離することができる接着部が設けられており、この最下層のシートには、シートの内側部分を所定形状に分断する切込線が形成されていると共に、最下層のシートのうち切込線の外側が上層のシートに一体的に積層接着され且つ切込線の内側が上層のシートに非接着とされている携帯式撮影装置用のレンズカバーを提供する。
【００１０】
かかるレンズカバーは、同様に訪問者の所持するカメラ付き携帯電話等のレンズ部を覆うように貼付される。かかるレンズカバーは、最下層のシートの裏面に接着部が設けられ、この最下層のシートに形成された切込線の外側が上層のシートに一体的に接着され且つ切込線の内側が上層のシートに非接着とされているので、訪問者がレンズカバーを剥ぎ取って写真撮影しようと試みると、切込線の外側に於ける下層のシートは上層のシートと共に剥離されるが、最下層のシートのうち切込線の内側の領域は、撮影装置から剥がれることなく貼付された状態で残る。従って、被訪問者は、この最下層のシートの分断の有無によって不正行為を簡易に判別することができる。
さらに、請求項６記載の手段は、上記切込線の内側の領域が、レンズ遮蔽領域を含んでいる上記レンズカバーであり、かかるレンズカバーによれば、訪問者が、レンズカバーを剥ぎ取っても、携帯式撮影装置に残る最下層シートの切込線の内側領域が、レンズ部を覆っているので、更に、この最下層シートを剥ぎ取らなくては撮影できず、不正撮影を防止する手段としてより効果的である。
【００１１】
さらに、請求項９記載の手段は、上記接着部が、剥離後再貼付不能な接着剤からなる上記レンズカバーであり、かかるレンズカバーは、訪問者が、レンズカバーを剥ぎ取ると、もはや再度貼付することができず、被訪問者は、不正行為の有無を簡単に判別することができるので好ましい。
【００１２】
また、請求項１０記載の手段は、上記カバー基材の縁部には摘み片が延設されており、この摘み片の裏面が携帯式撮影装置に対して非接着とされている上記レンズカバーであり、かかるレンズカバーによれば、被訪問者がレンズカバーを剥離回収する際に、摘み片を利用してレンズカバーを容易に剥離することができる。
【００１３】
さらに、請求項１１記載の手段は、表面にバーコードなどの機械的読取記号が表されている上記レンズカバーであり、かかるレンズカバーによれば、訪問者の個人情報と貼付したレンズカバーを読取装置を用いて簡易に管理することができるので好ましい。
【考案の効果】
【００１４】
本考案に係るレンズカバーは、カメラ付き携帯電話等の携帯式撮影装置のレンズ部に貼付することにより、訪問者の携帯式撮影装置を被訪問者が預からなくても不正な写真撮影を未然に防止することができる。
さらに、請求項３記載の手段のように、カバー基材が引裂可能で且つ周縁に複数の切欠部が形成されているレンズカバーによれば、レンズカバーを剥ぎ取る際に切欠部からカバー基材が破断するため、訪問者の不正行為の有無を簡単に判別することができる。かかる不正行為の判別容易なレンズカバーを用いることにより、悪意の訪問者に対して不正行為の実行を未然に断念させることができる。
【００１５】
また、請求項５記載の手段のように、最下層のシートに形成された切込線の外側が上層のシートに一体的に接着され且つ切込線の内側が上層のシートに非接着とされているレンズカバーによれば、レンズカバーを剥ぎ取ると、切込線の内側の領域が撮影装置から剥がれることなく貼付された状態で残るため、訪問者の不正行為の有無を簡単に判別することができる。特に、請求項６記載の手段のように、切込線の内側の領域が、レンズ遮蔽領域を含むように形成されてレンズカバーによれば、より効果的である。
【００１６】
さらに、請求項９記載の手段のように、接着部が剥離後再貼付不能な接着剤からなるレンズカバーは、一旦レンズカバーを剥ぎ取ると、再度貼付することができないため、被訪問者が、不正行為の有無を簡単に判別することができる。
【考案を実施するための最良の形態】
【００１７】
以下、本考案を図面を参照しつつ説明する。
＜第１実施形態＞
図１に於いて、１は、カバー基材２と、カバー基材２に施された印刷層３と、カバー基材２の裏面に設けられた接着部５と、を備える携帯式撮影装置用のレンズカバーを示す。
【００１８】
カバー基材２は、カメラ撮影できないようにするため、カメラ付き携帯電話等の携帯式撮影装置のレンズ部を覆うレンズ遮蔽領域２１（便宜上、図１（ａ）に於いて二点鎖線で示す）が少なくとも不透明に形成された引裂可能なシート材から構成されている。
具体的には、カバー基材２は、普通紙、光沢紙などの紙、合成紙、ポリエチレン、ポリプロピレン、ポリエチレンテレフタレートなどの合成樹脂製フィルム、金属蒸着フィルム、紙と合成樹脂フィルムの積層体などの各種の積層体などのような引裂可能なシート材を用いることができ、中でも比較的破れ易く且つ不透明であることから普通紙などの紙、合成樹脂製フィルム、金属蒸着フィルムを用いることが好ましい。
カバー基材２の厚みは、製造や貼付作業に支障を来さない程度であれば特に限定されず、概ね３０〜３００μｍ程度（紙では坪量５０〜２５０ｇ／ｍ２程度）のものが例示される。
【００１９】
カバー基材２の平面形状は、レンズ部を覆うレンズ遮蔽領域２１と、この領域２１の周囲から外側の延出された貼付領域２２と、貼付領域２２の一部から外側に延出された摘み片２３とを備えた形状からなる。具体的には、レンズ部よりも径大な円形状の一部に舌状片が延設された形状からなる。
さらに、カバー基材２の周縁には、内側に中心に向かって僅かに延びる切欠部６が形成されている。この切欠部６は、カバー基材２の周縁に間隔を開けて複数形成されている。
【００２０】
また、カバー基材２の表面には、公知の印刷法によって印刷層３が設けられている。印刷される表示は、例えば、社名、絵柄などの意匠、シリアル番号、一次元バーコード、スタック式又はマトリックス式バーコードなどの機械的読取記号などが例示されるが、少なくとも機械的読取記号を印刷することが好ましい。
【００２１】
一方、カバー基材２の裏面全体には、携帯式撮影装置の外面の一部分に貼付するための接着部５が設けられている。
接着部５は、携帯式撮影装置の外面に貼付でき且つ使用後に剥離できる手段であれば特に限定されず、例えば、公知のセロハンテープやタックラベルなどで使用されているアクリル系粘着剤、ＥＶＡ系粘着剤、ゴム系粘着剤などの感圧型粘着剤を塗布することにより構成することができる。かかる接着部５が設けられたカバー基材２は、離型紙７の上に積層されている。
【００２２】
上記レンズカバー１は、１個単位で提供することもできるが、通常、幅広の離型紙に複数並設された状態で提供され、例えば下記の方法で製造できる。
印刷済みの長尺のカバー基材原反の裏面に粘着剤がベタ塗りされ、これを長尺の離型紙に貼り合わせた基材原反のロール体から、該基材原反を引き出し、この表面からハーフカットドラムなどのハーフカッター装置で、カバー基材２の周縁輪郭と切欠部６を形成するように、型抜き用切込線を刻設し、カバー基材２の周りの余分な部分を除去する。これによって図２に示すように、幅広の離型紙７１にレンズカバー１が複数貼付された製品を得ることができる。
【００２３】
上記レンズカバー１は、例えば、図３（ａ）に示すように、カメラ付き携帯電話１０を所持する訪問者に対して、該携帯電話１０のレンズ部１１を覆うように貼付し、これにより施設等への入場を許可し、訪問者が帰る際には、被訪問者がレンズカバー１を携帯電話１０から引き剥がしこれを回収する。レンズカバー１には、機械的読取記号が表示されているので、訪問者の名前などの個人情報と貼付したレンズカバー１とを読取装置を用いて対応記憶させておけば、レンズカバー１を媒体として訪問者の入出管理などを簡易に且つ確実に行うことができる。また、レンズカバー１には、摘み片２３が形成されているので、被訪問者がレンズカバー１を回収する際に、これを引き剥がし起点として利用することができる。
さらに、カバー基材２は、引裂可能な素材からなり且つ周縁に複数の切欠部６が形成されているので、貼付されたレンズカバー１を引き剥がすと、図３（ｂ）に示すように、切欠部６を破断起点としてカバー基材２が破断する。従って、訪問者が施設等へ入った後、被訪問者に判らないようにレンズカバー１を剥がして写真撮影した後、元通りに貼付しようと考えても、上記のようにレンズカバー１を引き剥がすともはや原状に戻すことができず、仮に、悪意の訪問者がこのような不正行為を行えば、被訪問者は、レンズカバー１を回収する際などに不正行為の有無を簡単に判別することができる。
【００２４】
尚、本実施形態の変形例として、例えば、図４（ａ）に示すように、カバー基材２の裏面のうち、レンズ遮蔽領域２１に対応する裏面部４を非接着とすることもできる（貼付領域２２の裏面にのみ接着部５が設けられている）。かかるレンズカバー１によれば、携帯式撮影装置１０のレンズ部１１の周囲にのみレンズカバー１が貼付されるので、レンズ部１１の外面を汚したり傷つけたりする虞がないので好ましい。
また、切欠部６の変形例として、例えば図４（ｂ）に示すように、カバー基材２の周縁を渦巻き状に切り込んでもよい。また、切欠部６は、カバー基材２の周縁を線状に切り込むものに限られず、例えばカバー基材２の周縁を凹凸状（例えば鋸刃状など）に形成することによって切欠部とすることもできる。
【００２５】
＜第２実施形態＞
第２実施形態は、引き剥がした際に一部が携帯式撮影装置に貼付されたまま残るように構成されたレンズカバーに係る。以下、上記第１実施形態と異なる部分について主として説明し、同様の構成についてはその説明を省略し、用語及び図番を援用することがある。
【００２６】
図５に於いて、カバー基材８は、複数層が積層された不透明な積層体からなる。
具体的には、カバー基材８は、上下２層のシート８１，８２の積層体からなる。上下層のシート８１，８２は、普通紙、光沢紙などの紙、合成紙、ポリエチレン、ポリプロピレン、ポリエチレンテレフタレートなどの合成樹脂製フィルム、金属箔蒸着フィルムなどのような引裂可能なシート材などを用いることができ、中でも普通紙などの紙を用いることが好ましい。上下層のシート８１，８２の厚みは、製造や貼付け作業に支障を来さない程度であれば特に限定されず、概ね３０〜２００μｍ程度のものが例示される。
また、下層のシート８２の裏面には、携帯式撮影装置の外面に着脱可能な感圧型粘着剤などがベタ塗りされ、接着部５が設けられている。
【００２７】
カバー基材８の平面形状は、レンズ部及びその周囲を広く覆うことができる程度の大きさに形成されている。さらに、下層のシート８２の内側部分には、無端状の切込線９が形成されている。この切込線９で囲われた内側の領域は、レンズ部を覆うレンズ遮蔽領域２１よりも大きな面積とされている。
この下層のシート８２のうち、切込線９の内側の領域は、上層のシート８１に非接着とされ、且つ切込線９の外側の領域は、上層のシート８１に一体的に積層接着されている。このように上下層を部分的に非接着に構成する手段としては、例えば、図５（ｂ）に示すように、下層のシート８２の表面のうち、切込線９で囲われた内側の領域に、シリコーン系剥離剤などの剥離剤１２を塗布し、上下層のシート８１，８２を接着剤１３を介して積層することにより、切込線９の内側の領域のみを上層のシート８１に非接着とすることができる。
尚、本実施形態に於いても、カバー基材８には、機械的読取記号などが印刷されているが、図面上では省略している。
【００２８】
本実施形態のレンズカバー１は、通常、離型紙に複数並設された状態で提供され、例えば下記の方法で製造できる。
図６（ａ）に示すように、下層のシート原反８２１の裏面に粘着剤５がベタ塗りされ、これを長尺の離型紙７１に貼り合わせ、該シート原反８２１の表面のうち、切込線９で囲われる領域にグラビア印刷法などで剥離剤１２を塗工する。次に、この上からハーフカットドラムなどのハーフカッター装置で、図６（ｂ）に示すように、剥離剤１２を塗布した領域の略周縁に沿って切込線９を刻設する。尚、これに代えて、切込線９を刻設した後、切込線９の内側の領域に剥離剤１２を塗工することもできる。
次に、図６（ｃ）に示すように、別途のロール体から供給される上層シート原反８１１と下層シート原反８２１の表面とを、接着剤１３を介して積層接着する。積層方法としては、ドライラミネートなどの公知の方法を用いることができる。最後に、図６（ｄ）に示すように、この上層シート原反８１１の表面からハーフカッター装置で、カバー基材８の周縁輪郭に沿った形状となるように、離型紙７１の表面まで上下層のシート原反８１１，８２１に型抜き用切込線９１を刻設することにより、１枚の離型紙にレンズカバー１が複数貼付された製品を得ることができる。
【００２９】
本実施形態のレンズカバー１は、切込線９で囲われた内側の領域にて、カメラ付き携帯電話等の携帯式撮影装置のレンズ部を覆うように、貼付される。
かかるレンズカバー１は、下層のシート８２の裏面に接着部５が設けられているので、携帯式撮影装置の外面に密着し、他方、この下層のシート８２の切込線９の外側が上層のシート８１に一体的に接着され且つ切込線９の内側が上層のシート８１に非接着とされている。従って、このレンズカバー１を剥ぎ取ると、図７に示すように、下層のシート８２のうち、切込線９の外側の領域８２ａは上層のシート８１と共に剥がれるが、切込線９の内側の領域８２ｂは、撮影装置１０から剥がれることなく貼付された状態で残る。よって、訪問者が、不正に撮影しようとレンズカバー１を引き剥がしても、レンズ部１１は、下層のシート８２の残部８２ｂによって被覆されたままであるため、再度これを引き剥がさなくてはならず、他方、かかる引き剥がし行為によって、一旦分断された下層のシート８２を元の状態に戻すことは非常に困難であるから、仮に訪問者が、レンズカバー１の剥離行為を行えば、被訪問者は、これを簡易に発見することができる。
【００３０】
尚、本実施形態の変形例として、例えば、カバー基材８を３層以上の積層体で構成することもできる。この場合には、最下層のシートに上記切込線９が形成される。
また、例えば、下層（最下層）のシート８２の切込線９の内側領域の裏面のうち、レンズ部を覆う範囲については、非接着としてもよい。このように構成すれば上記第１実施形態の変形例と同様にレンズ部を汚したりする虞がない。
【００３１】
さらに、第１実施形態と同様に、本実施形態のカバー基材８として引裂可能なシート材を用い、該カバー基材８の周囲に切欠部６を複数形成することもできる。かかるレンズカバー１は、これを引き剥がすと、カバー基材８が破断する上、最下層のシート８２の一部は剥離されずに残存するので、訪問者の不正行為を発見する上で、より効果的である。
【００３２】
＜その他の実施形態＞
上記各実施形態では、レンズカバー１を携帯式撮影装置に貼付するための接着部５として、感圧型粘着剤を塗布することが例示されているが、これに限られず、例えば、接着部５として剥離後再貼付不能な接着剤を用いることもできる。かかる接着剤としては、貼付後に剥離可能な程度の接着力に調整されたホットメルト接着剤などが例示される。かかるホットメルト接着剤が塗布されたレンズカバー１は、加熱装置で所定温度に加熱して携帯式撮影装置に貼付でき、他方、貼付後剥離すると常温では再貼付できないから、訪問者の不正行為を簡易に発見できる。
【００３３】
また、上記各実施形態では、カバー基材２，８は、円形状の一部に舌状片（非接着の摘み片）が延出された形状からなるが、少なくともレンズ部を覆うことができる大きさであればその平面形状は特に限定されず、例えば、単なる円形状、矩形状、三角形状、多角形状、その他任意の形状に形成することができ、また、非接着の摘み片２３を形成しないものでもよい。
さらに、上記各実施形態では、レンズカバー１の貼付対象としてカメラ付き形態電話を例示しているが、例えば、カメラ機能付きノート型パーソナルコンピュータ、カメラ付きＰＤＡ、デジタルカメラ、銀塩カメラ、その他撮影機能を有する携帯可能な撮影装置のレンズカバーとして使用することができる。
【図面の簡単な説明】
【００３４】
【図１】（ａ）は、第１実施形態のレンズカバーを示す平面図、（ｂ）は、同Ａ−Ａ線縦断面図。
【図２】複数のレンズカバーが離型紙に貼付された供給シートを示す一部省略平面図。
【図３】レンズカバーの使用状態を示す参考平面図。
【図４】第１実施形態のレンズカバーの変形例を示す縦断面図。
【図５】（ａ）は、第２実施形態のレンズカバーを示す平面図、（ｂ）は、同Ｂ−Ｂ線縦断面図。
【図６】第２実施形態のレンズカバーの製造工程を示す参考縦断面図。
【図７】レンズカバーの使用状態を示す参考平面図。
【符号の説明】
【００３５】
１…レンズカバー、２，８…カバー基材、２１…レンズ遮蔽領域、２２…貼付領域、２３…摘み片、８１…上層のシート、８２…下層のシート、８２ａ…最下層シートの切込線の外側の領域、８２ｂ…最下層シートの切込線の内側の領域、３…印刷層、５…接着部、６…切欠部、７…離型紙、９…切込線、１０…携帯式撮影装置、１１…携帯式撮影装置のレンズ部、１２…剥離剤層
【図１】
0003104796.tif 000003
【図２】
0003104796.tif 000004
【図３】
0003104796.tif 000005
【図４】
0003104796.tif 000006
【図５】
0003104796.tif 000007
【図６】
0003104796.tif 000008
【図７】
0003104796.tif 000009